(57)【要約】【課題】外壁パネルの外観を損ねることなく、端面に細かい凹凸や切断カスなどが存在するような外壁パネルの端面間を確実に止水可能で、外壁パネルが強アルカリ性を呈するものである場合にも有効で、しかも施工が簡便、容易な外壁パネル用止水部材を提供する。【解決手段】下側の外壁パネル２１の上端面２１ａに粘着体１３で粘着される基板１１と、該基板１１の一基端部に連続して形成され、上側の外壁パネル２０の裏面２０ｃに沿う立ち上がり板１２とを有し、前記粘着体１３は、前記上端面２１ａから該下側の外壁パネル２１の裏面２１ｃにかけて粘着可能に形成されている外壁パネル用止水部材１０を使用する。【選択図】　図１
2004019171.tif 000002
【特許請求の範囲】
【請求項１】
上下に並設された外壁パネル間を止水する外壁パネル用止水部材であって、
下側の外壁パネルの上端面に該外壁パネルの裏面にかけて粘着する粘着体が設けられた基板と、
該基板に一体に形成され、上側の外壁パネルの裏面に沿う立ち上がり板とを有することを特徴とする外壁パネル用止水部材。
【請求項２】
前記立ち上がり板を、前記上側の外壁パネルの裏面に沿わせる支持シートが設けられていることを特徴とする請求項１に記載の外壁パネル用止水部材。
【請求項３】
前記粘着体における前記粘着可能な面には、前記基板の長さ方向に沿う複数の溝が形成されていることを特徴とする請求項１または２に記載の外壁パネル用止水部材。
【請求項４】
前記粘着体はブチルゴムからなり、前記溝は、断面が略円形の複数のブチルゴム線状体が平行に引き揃えられ互いに接合し、隣り合うブチルゴム線状体との間に形成されたものであることを特徴とする請求項３に記載の外壁パネル用止水部材。
【請求項５】
前記基板の先端近傍は、下方に屈曲していることを特徴とする請求項１ないし４のいずれかに記載の外壁パネル用止水部材。
【請求項６】
前記立ち上がり板の先端近傍は、前記上側の外壁パネル側に向かって屈曲していることを特徴とする請求項１ないし５のいずれかに記載の外壁パネル用止水部材。
【請求項７】
前記基板と前記立ち上がり板は、無延伸ポリプロピレンシートで形成されていることを特徴とする請求項１ないし６のいずれかに記載の外壁パネル用止水部材。
【請求項８】
前記立ち上がり板には、縦方向に折曲誘導線が形成されていることを特徴とする請求項１ないし７のいずれかに記載の外壁パネル用止水部材。
【発明の詳細な説明】
【０００１】
【発明の属する技術分野】
本発明は上下に並設された外壁パネル間に設けられ、雨水の浸入を防止するための外壁パネル用止水部材に関する。
【０００２】
【従来の技術】
従来、建築物の外壁パネルは、縦方向の長さが３ｍ程度に形成されたものが多い。このような外壁パネルを、例えば２階建ての建築物に使用する場合、外壁パネルは上下方向に２枚が互いに若干の間隔を有して並設され、１−２階の間で外壁パネル同士の継ぎ目が生じることとなる。
このような外壁パネル間の継ぎ目には、通常、止水処理がなされ、外部からの雨水の浸入が防止される。
継ぎ目の止水方法として、例えば特公平６−３５７２８号公報や特公平６−３９８０９号公報には、上階の外壁パネルの裏面側に防水シートの上端部を固定し、一方、下階の外壁パネルの表面側に防水シートの下端部を垂下させるとともに貼着して、外壁パネル間を止水する方法が開示されている。
【０００３】
ところが最近の外壁パネルは、その表面に大きな凹凸が形成され意匠性が付与されたものが多く、このような外壁用建材は、一般に厚みが大きく、その重量も大きくなっている。そのため、従来のように長さ３ｍ程度の長尺に形成されたものでは、非常に重量が増し、作業者が取扱いにくいという問題があった。また、外壁パネルは通常、鉄骨からなる枠部材に固定されるが、外壁パネルと鉄骨とでは熱膨張率が異なるため、気温の変化によりそれぞれ独立して膨張・収縮し、その結果外壁パネルに亀裂が生じることがあった。
以上のような事情から最近では、長さ１ｍ程度の外壁パネルの使用が増加してきている。このような短尺の外壁パネルは取扱性が良好であるとともに、鉄骨に取り付けた場合でも、鉄骨との熱膨張率の差に起因する亀裂も生じにくくなる。
【０００４】
【発明が解決しようとする課題】
しかしながら、このように短尺の外壁パネルを使用すると、長尺のものを使用した場合に比べて、建築物の上下方向における外壁パネル間の継ぎ目が多くなる。継ぎ目が従来のように階と階との間にある場合には、例えば上述した公報に開示されているような方法で止水処理した後、その部分を化粧材などで覆えば、外観面から特に問題になることはなかった。ところが、このように継ぎ目が多くなると、外壁パネルの表面に防水シートが及ぶような従来の方法で止水処理し、その後、この部分を化粧材などで覆う方法では、建築物の美観が損なわれるという問題が生じた。
【０００５】
また、このような短尺の外壁パネルは、長尺の外壁パネルをプレス成形などで製造した後に一定の長さで切断されることにより得られるが、このような切断により形成される切断面、すなわち端面には、細かい切断カスが多量に発生することが多い。さらに、外壁パネルが発泡材料などから形成されたものである場合には、この端面には気泡による細かな凹凸が存在し、発生した切断カスが凹部にたまってしまい、エアブローなどでも除去しきれない場合が多かった。このように切断カスが多く発生する端面には粘着剤は粘着しにくいため、粘着剤を端面に単に粘着させることにより止水処理することは困難であった。
【０００６】
また、このような端面に粘着剤を粘着させるなどして止水処理を行うためには、あらかじめ端面をプライマー処理する方法も考えられる。しかしながら、有機溶剤系のプライマー処理を行うためには専用の排気設備が必要となり、一方、水系のプライマー処理では、水を乾燥させるための設備が必要となり、いずれにしても設備コストがかさみ、工程数も増すという問題があった。
【０００７】
さらに、最近の外壁パネルには、強アルカリ性の材料をプレス成形することにより得られるものも多く、このような強アルカリ性を呈する外壁パネルに対して止水処理する場合には、耐アルカリ性の材料を選択して使用する必要もあり、使用可能な材料には制限があった。
【０００８】
本発明は上記事情に鑑みてなされたもので、外壁パネルの外観を損ねることなく、端面に細かい凹凸や切断カスなどが存在するような外壁パネルの端面間を確実に止水可能で、外壁パネルが強アルカリ性を呈するものである場合にも有効で、しかも施工が簡便、容易で安価な外壁パネル用止水部材を提供することを課題とする。
【０００９】
【課題を解決するための手段】
本発明の外壁パネル用止水部材は、上下に並設された外壁パネル間を止水する外壁パネル用止水部材であって、下側の外壁パネルの上端面に該外壁パネルの裏面にかけて粘着する粘着体が設けられた基板と、該基板に一体に形成され、上側の外壁パネルの裏面に沿う立ち上がり板とを有することを特徴とする。
前記立ち上がり板を、前記上側の外壁パネルの裏面に沿わせる支持シートが設けられていることが好ましい。
前記粘着体における前記粘着可能な面には、前記基板の長さ方向に沿う複数の溝が形成されていることが好ましい。
前記溝は、断面が略円形の複数のブチルゴム線状体が平行に引き揃えられ互いに接合し、隣り合うブチルゴム線状体との間に形成されたものであることが好ましい。
前記基板の先端近傍は、下方に屈曲していることが好ましい。
前記立ち上がり板の先端近傍は、前記上側の外壁パネル側に向かって屈曲していることが好ましい。
前記基板と前記立ち上がり板は、無延伸ポリプロピレンシートで形成されていることが好ましい。
前記立ち上がり板には、縦方向に折曲誘導線が形成されていることが好ましい。
【００１０】
【発明の実施の形態】
以下、本発明を詳細に説明する。
［外壁パネル用止水部材］
図１は、図２に示す本発明の一実施形態である外壁パネル用止水部材１０を使用して、上下に並設された２枚の外壁パネルのうち、上側の外壁パネル２０の下端面２０ａと、この外壁パネル２０の下方に設けられた下側の外壁パネル２１の上端面２１ａとの間を止水した状態を示す縦断面図である。
この例において外壁パネル２０，２１は、いずれも強アルカリ性の材料をプレス成形することにより得られたものであって、これらの外表面２０ｂ，２１ｂには凹凸が形成され、意匠性が付与されている。また、符号３０は鉄骨製の枠部材で、外壁パネル２０，２１はその外側に固定される。
【００１１】
この例で使用されている外壁パネル用止水部材１０は、図１に示すように、上側の外壁パネル２０の下端面２０ａと、下側の外壁パネル２１の上端面２１ａとの間に配されることによって外部からの雨水などを止水するものであって、下側の外壁パネル２１の上端面２１ａに粘着体１３で粘着される基板１１と、この基板１１の一基端部に連続して一体に形成され、上側の外壁パネル２０の裏面に沿う立ち上がり板１２とを有している。この例において、基板１１と立ち上がり板１２とは、厚み０．４ｍｍの無延伸ポリプロピレン（ＣＰＰ）シートで形成され、その全長Ｌは外壁パネル２０，２１の水平方向の幅に応じた長さとなっている。また、立ち上がり板１２の高さは６５ｍｍ程度とされている。
【００１２】
そして、粘着体１３は、基板１１の下面１１ｂに設けられ、下側の外壁パネル２１の上端面２１ａに、その裏面２１ｃにかけて粘着する。即ち、外壁パネル２１の上端面２１ａの少なくとも一部に粘着すると共に、その裏面２１ｃにかけて粘着し、その外壁パネル２１の上端面２１ａと裏面２１ｃの間の角である縁部２１ｄに粘着するようになっている。
【００１３】
このような外壁パネル用止水部材１０によれば、上側の外壁パネル２０の下端面２０ａと基板１１の上面１１ａとの間から雨水が侵入した場合にも、上側の外壁パネル２０の裏面に沿って略垂直に立ち上がる立ち上がり板１２によって、枠部材３０側への雨水の侵入を阻止することができる。なお、ここで立ち上がり板１２の高さは適宜設定できるが、少なくともこの例のように６５ｍｍとすると、伊勢湾台風における最大動風圧に相当する動風圧５５ｍｍの防水試験を行った場合でも、立ち上がり板１２を越えて雨水が枠部材３０側に侵入することはない。
【００１４】
さらに、この例においては、基板１１の先端近傍に折り目１１ｃが形成され、下方に屈曲しているので、上側の外壁パネル２０の下端面２０ａと基板１１の上面１１ａとの間からの雨水の侵入を確実に阻止できる。また、この例では、立ち上がり板１２の先端近傍にも折り目１２ｃが形成され、上側の外壁パネル２０側に向かって屈曲している。よって、立ち上がり板１２の先端部分が「水返し」として作用し、たとえ雨水が上側の外壁パネル２０の下端面２０ａと基板１１の上面１１ａとの間から侵入し、上昇した場合であっても、雨水の枠部材３０側への侵入をくい止めることができる。
また、基板１１や立ち上がり板１２の先端近傍が屈曲していると、このように雨水の侵入をより確実に阻止できるうえ、基板１１および立ち上がり板１２の長さ方向における剛性、直線性が発現するので、この外壁パネル用止水部材１０が長尺である場合にも、取扱性に優れる。
【００１５】
なお、ここで基板１１の先端近傍とは、基板１１の先端から、基板１１と立ち上がり板１２との境界１５（以下、折り曲げ部という。）までの距離を１００％とした場合、基板１１の先端から折り曲げ部１５に向かって１０〜５０％の範囲に入る部分である。また、立ち上がり板１２の先端近傍とは、立ち上がり板１２の先端から折り曲げ部１５までの距離を１００％とした場合、立ち上がり板１５の先端から折り曲げ部１５に向かって１０〜５０％の範囲に入る部分である。
ここで基板１１の先端から折り目１１ｃまでの距離や、立ち上がり板１２の先端から折り目１２ｃまでの距離は、基板１１、立ち上がり板１２に使用されるＣＰＰシートの厚みに応じて適宜設定することが好ましく、例えば、厚みが大きくなるほどこれらの距離を大きくすることが、加工性、面強度の点から好ましい。すなわち、これらの距離が小さいほど基板１１、立ち上がり板１２それぞれの面強度は上がるが、その反面、ＣＰＰシートを直線成形した時に「ねじれ」が生じやすくなる。よって、ＣＰＰシートの厚みに応じて、面強度と「ねじれ」とがバランスするように、これらの距離を決定することが好ましい。
【００１６】
このように、図示例の外壁パネル用止水部材１０によれば、上側の外壁パネル２０の下端面２０ａと基板１１の上面１１ａとの間からの雨水の侵入を、基板１１および立ち上がり板１２によって阻止することができる。
そして、次に説明するように、下側の外壁パネル２１の上端面２１ａと基板１１の下面１１ｂとの間からの雨水の浸入は、粘着体１３により阻止することができる。
【００１７】
粘着体１３としては、基板１３及び外壁パネル２０、２１に強固に粘着するものが適用でき、例えば、ブチルゴム、二液若しくは湿気硬化型防水材（ウレタン、エポキシ類）等が挙げられるが、ブチルゴムからなるものが望ましい。ブチルゴムは、粘着性に優れ、多少のほこりやゴミは吸着し、被着体（対象物）に対して密着していく自着性を有し、雨水の侵入を確実に阻止できるうえ、耐候性、耐熱性、耐火性なども良好で、安価であり、このような外壁パネル用止水部材１０への使用に適している。また、ブチルゴムは、これらの優れた性質に加え耐アルカリ性、耐酸性にも優れているので、例えば、外壁パネル２０，２１が強アルカリ性を呈する材料から形成されている場合での使用にも適している。
さらに、この例の粘着体１３は、図３に拡大して示すように、断面が略円形であって直径が２ｍｍの複数のブチルゴム線状体１４が１０本平行に引き揃えられ互いに接合して形成されたものであって、隣り合うブチルゴム線状体１４との間に溝が形成された状態、すなわち、粘着体１３の両面に複数の溝１４ａが形成された状態となっている。
このように粘着体１３の両面に溝１４ａが形成されていると、これらがそれぞれ止水溝として作用し、外部からの雨水をこれらの溝に保持することができる。よって、枠部材３０側への雨水の浸入をより確実に防ぐことができる。また、溝１４ａを設けることによって、粘着体１３に使用する材料の総量が少なくなるため、材料コストが低くなるとともに、外壁パネル用止水部材１０の全体としての重量も減り、これらの保管時または流通時のコストも削減できる。
【００１８】
また、この粘着体１３においては、隣り合う溝１４ａの間が凸状部になるため、これを下側の外壁パネル２１の上端面２１ａに粘着させると、粘着体１３全面ではなく、主にこれらの凸状部が接触した状態になり、全面が平坦な粘着体に比べて接触面積が小さくなる。よって、同じ大きさの力で押圧した場合でも加わる圧力が大きくなり、強く密着させることができる。すなわち、少ない転圧力でも密着性を高めることができるので、大きな転圧力が期待できない箇所、あるは、凹凸がある箇所へ密着させる場合に特に有効である。さらに、全面が平坦な場合には、これと下側の外壁パネル２１の上端面２１ａとの間に空気が残存しやすくなり、その結果、密着性や止水性が低下する場合がある。しかしながら、このような溝１４ａと凸状部とが形成されていると、空気は溝１４ａを通じて抜けやすく、かつ、凸状部は上端面２１ａに密着するため、密着性が優れる。また、表面に溝１４ａがあると粘着体１３の表面積が大きくなるため、粘着体１３を成形した後の放熱が促進され、蓄熱による粘着体１３の変形を防止できる。
【００１９】
この例の粘着体１３は、例えば、断面が略円形の口金が複数並設された押出機から、ブチルゴムを６０〜１００℃の温度で連続的に押し出すことで形成できる。押し出された各ブチルゴム線状体１４は、互いに容易に接合し、図示例のような粘着体１３を形成することができる。
【００２０】
また、図示例の外壁パネル用止水部材１０は、立ち上がり板１２を上側の外壁パネル２０の裏面に沿わせるように支持するための支持シート１６を備えている。この例の支持シート１６は、厚みが０．０３８ｍｍのポリエチレンテレフタレート（ＰＥＴ）製のものであって、立ち上がり板１２の裏側に立ち上がり板１２を支持可能なように下方まで延出した状態で粘着層１７を介して貼着されている。このような支持シート１６を備えていない場合には、立ち上がり板１２の材質、厚みによっては、立ち上がり１２を上側の外壁パネル２０の裏面に沿う状態に維持できなくなる可能性がある。
【００２１】
なお、この例の外壁パネル用止水部材１０の基板１１と立ち上がり板１２は、上述したようにＣＰＰシートから形成されたものである。ＣＰＰシートは、安価であるとともに、容易にこれを折り曲げて基板１１と立ち上がり板１２とを形成することができる。また、耐熱性、耐水性、耐候性に優れ、さびたり腐食したりせず、寸法安定性にも非常に優れるため、外気にさらされ、長期にわたって使用される外壁パネル用止水部材１０への利用にも適している。ＣＰＰシートは、例えば、５０モル％以上、好ましくは７０モル％以上のプロピレン単位を有する結晶混合物を、配向させることなく、無延伸状態で均一な厚みにシート化して得られる。また、ＣＰＰシートには、耐光性を向上させるためにメルカプトイミダゾールなどの耐光剤を添加してもよい。メルカプトイミダゾールを添加する場合の添加量は、ポリプロピレンに対して１〜３質量％が好ましい。
【００２２】
ＣＰＰシートの厚さは、この例では０．４ｍｍであるが０．３〜１．０ｍｍの範囲であることが好ましく、より好ましくは０．４〜０．８ｍｍである。このような範囲内で厚さを設定すると、ＣＰＰシートのコスト、形状保持性、止水性などのバランスが優れる。すなわち、厚さ０．３ｍｍ未満のシートは加工しにくく、多数の外壁パネル用止水部材１０をばらつきのない品質で製造することが困難となる傾向があるうえ、粘着体１３の自重により、基板１１や立ち上がり板１２が直線性、形状保持性を維持することができなくなる傾向がある。一方、１．０ｍｍを超えると、ＣＰＰシートのコストが増加するとともに折り曲げ加工性が悪くなる傾向があり、また、この外壁パネル用止水部材１０を所定の位置に設置すると、枠部材３０と上側の外壁パネル２０との間の隙間が大きくなることとなり、止水性が低下する場合がある。
【００２３】
また、基板１１と立ち上がり板１２には、これらの板状形態を維持可能である限り、ＣＰＰ以外の樹脂シートや金属板も使用可能である。樹脂シートとしては、例えば、ＣＰＰなどのポリプロピレンの他、無可塑塩化ビニル（可塑剤が入っていないＰＶＣ）、ポリエチレン、ポリマーアロイ、エンジニアリングプラスチックなどが例示できる。
【００２４】
ＣＰＰシートなどの樹脂シートを使用して、基板１１および立ち上がり板１２を形成するためには、シートを略Ｌ字状に折り曲げればよいが、特にＣＰＰシートを使用する場合には、基板１１と立ち上がり板１２との間の折り曲げ部１５に、あらかじめ一軸延伸による配向処理を施しておくことが好ましい。このような配向処理を施すと、折り曲げ部１５の強度が向上し、例えば１万回以上繰り返して曲げた場合にも、破断することがない。また、基板１１と立ち上がり板１２との間の折り曲げ部１５を、部分溶融により熱収縮させて分子密度を高め、結晶化させておいてもよい。このようにして折り曲げ部１５を結晶化することによって、折り曲げ形状が記憶される。折り曲げ形状を記憶させるためには、あらかじめ折り曲げ部１５となる部分を溶融させてから折り曲げ加工し、その後、この溶融部分を冷却するか、あるいは、折り曲げ加工した後に、この折り曲げ部１５を溶融し、ついで、冷却する。溶融時の加熱処理は２００℃程度の温度で１秒間程度行えばよい。
さらに、基板１１や立ち上がり板１２の先端近傍を屈曲する際にも、その折り目１１ｃ，１２となる部分に、上述の折り曲げ部１５の場合と同様にして、一軸延伸による配向処理を施したり、その折り目１１ｃ，１２ｃを部分溶融によって熱収縮させ、結晶化させてもよい。
なお、部分溶融のための加熱処理する場合には、ＣＰＰシートの厚みは０．６ｍｍ以上とすることが好ましい。ＣＰＰシートが薄いと、加熱処理の余熱によって折り曲げ部１５の周辺が変形する可能性がある。
【００２５】
ＣＰＰシートを一軸延伸して折り曲げ部１５や折り目１１ｃ，１２ｃを形成する方法としては特に制限はないが、例えば、ＣＰＰシートを、先端が丸められた刃先を有する鋼鉄製の回転刃と、この刃先が没入する環状溝が外周面に形成された回転ローラの当該環状溝との隙間に挿入し、通過させる方法などが挙げられる。ここで環状溝の断面を９０°の略Ｖ字状とすると、ＣＰＰシートを、回転刃と環状溝との間の隙間を通過させることによって、一軸方向に延伸しつつ、９０°に折り曲げることができる。回転刃と環状溝との間の隙間の距離は、シートの厚みの１０〜５０％程度とすることが好ましい。また、折り曲げ部や折り目に求められる所望の折り曲げの度合いに応じて、環状溝の断面形状を６０°の略Ｖ字状や１２０°の略Ｖ字状など任意形状にすることができる。
【００２６】
また、粘着体１３は、図１〜３の例では、断面が直径２ｍｍ程度の略円形ブチルゴム線状体１４が平行に１２本引き揃えられ互いに接合したものであるが、その直径や本数には制限はない。さらに、粘着体１３はこのような形態に限定されず、両面に溝がなく平坦なものであってもよい。しかしながら、少なくとも粘着体１３における、下側の外壁パネル２１の上端面２１ａから裏面２１ｃにかけて粘着する側の面には、上述したように基板１１の長さ方向に沿う複数の溝１４ａが形成されていることが好ましく、さらには両面に溝１４ａが形成されていることが好ましい。
このような粘着体１３としては、図４に示すように、複数のブチルゴム線状体１４を平行に２段以上に重ねた形態、図５に示すように、基体部１４ｂの両面に複数の凸状部１４ｃをそれぞれ長さ方向に連続して設けた形態、図６に示すように、一方の面側、すなわち下側の外壁パネル２１の上端面２１ａから裏面２１ｃにかけて粘着する面のみに溝１４ａが形成された形態などが例示できる。
【００２７】
また、支持シート１６の材質としてはＰＥＴに限定されず、ＣＰＰ、ＯＰＰ（二軸延伸ポリプロピレン）など他の樹脂であってもよい。これらの材質からなる場合、その厚みが０．０２５〜０．２ｍｍ程度であれば、低コストであって、かつ、確実に立ち上がり板１２を支持することができる。
また、この例では、支持シート１６を粘着する粘着層１７は厚さ０．６ｍｍのブチルゴムから形成されているが、立ち上がり板１２と支持シート１６とを接着可能なものであれば制限はない。しかしながら、この例のように粘着層１７がブチルゴムから形成されて、粘着層１７も下側の外壁パネル２１の裏面２１ｃに粘着した状態となっていると、より止水性が高まり好ましい。
【００２８】
［外壁パネル用止水部材の施工方法］
次に、この例の外壁パネル用止水部材１０を、図１の状態に施工する方法について具体的に説明する。
まず、図７に示すように、外壁パネル用止水部材１０の粘着体１３における隅部１３ａが、下側の外壁パネル２１の上端面２１ａと裏面２１ｃとの境界、すなわち縁部２１ｄに一致するように位置合わせしつつ、枠部材３０に固定された下側の外壁パネル２１の上端面２１ａに、外壁パネル用止水部材１０を配置する。この際、特に、粘着体１３と、粘着体１３よりも下方に延出した粘着層１７の部分を、下側の外壁パネル２１の裏面２１ｃに転圧して十分に粘着させる。
その後、図８に示すように、立ち上がり板１２を下側の外壁パネル２１の上端面２１ａに向けて倒し、この立ち上がり板１２に対して上方から下方に向けて押圧、転圧する。このように転圧することにより、粘着体１３が下側の外壁パネル２１の上端面２１ａに十分に密着する。
【００２９】
ついで、立ち上がり板１２を起こして元の位置に戻し、その形態を整え、図９に示す状態とした後、取り付けられた外壁パネル用止水部材１０の基板１１の上に、図１０に示すように上側の外壁パネル２０を載置して、これを固定具で枠部材３０に取り付けることにより、施工が終了する。
このように施工することにより、上側の外壁パネル２０の重みにより粘着体１３が下側の外壁パネル２１の上端面２１ａにさらに密着し、高い止水効果が得られる。なお、図示は略すが、この際、上側の外壁パネル２０の裏面２０ｃにフッ素処理、シリコ−ン系離型剤処理などにより摩擦低減処理がなされた樹脂フィルムをあらかじめ貼着しておくと、この樹脂フィルムと枠部材３０および立ち上がり板１２との滑りが良くなり、上側の外壁パネル２０を載置する際の作業性が向上する。また、このような処理がなされた樹脂フィルムは撥水性も有するので、水の侵入をさらに防止することができる。
【００３０】
また、特に、外壁パネル用止水部材１０として、図１１に示すように、立ち上がり板１２に、縦方向の折曲誘導線１８が形成されているものを使用することによって、出隅部や入隅部において外壁パネル２０，２１間を止水することも可能である。
すなわち、図１１の外壁パネル用止水部材１０を出隅部に施工する場合には、まず、折曲誘導線１８の基板における延長部分１９に、カッターなどで切り込みを入れる。ついで、これを図１２に示すように、すなわち、支持シート１６側が内側となるように折曲誘導線１８に沿って折り曲げる。ついで、折曲誘導線１８によって２分割されたこの外壁パネル用止水部材１０のうち一方の側における粘着体１３と、他方の側の粘着体１３とを、それぞれ対応する下側の外壁パネル２０の上端面２１ａに粘着させ、図１３に示す状態とする。
【００３１】
そして、図１４に示すようにして、折曲誘導線１８によって２分割された外壁パネル用止水部材１０のうち一方の側における立ち上がり板１２を、下側の外壁パネル２１の上端面２１ａに向けて、図８の場合と同様に倒して、粘着体１３を押圧、転圧する。ついで、折曲誘導線に１８よって２分割された外壁パネル用止水部材１０のうち他方の側における立ち上がり板１２についても、図示は略すが同様にして、下側の外壁パネル２１の上端面２１ａに向けて倒し、粘着体１３を押圧、転圧する。このように粘着体１３を押圧、転圧することにより、粘着体１３を強く上端面２１ａに密着させることができる。
こうして下側の外壁パネル２１に取り付けられた外壁パネル用止水部材１０の基板１１の上に、上側の外壁パネル２０を載置して、これを枠部材に取り付けることにより、出隅部においても、上側の外壁パネル２０と下側の外壁パネル２１との間を止水することができる。なお、下側の外壁パネル２１における出隅部の内側にあらかじめブチルゴムを貼着しておくと、隙間が生じず、より止水性が向上する。
【００３２】
また、折曲誘導線１８に沿って、支持シート１６側が外側となるように折り曲げて使用することによって、入隅部にも同様に使用することができる。
【００３３】
以上説明したようにこのような外壁パネル用止水部材１０は、下側の外壁パネル２１の上端面２１ａに粘着体１３によって粘着される基板１１と、該基板１１の一基端部に連続して形成され、上側の外壁パネル２０の裏面２０ｃに沿う立ち上がり板１２とを有している。そして、粘着体１３は、下側の外壁パネル２１の２１ａ上端面から裏面２１ｃにかけて粘着可能に形成されている。したがって、上側の外壁パネル２０の下端面２０ａと基板１１の上面１１ａとの間から雨水が侵入した場合には、上側の外壁パネル２０の裏面２０ｃに沿う立ち上がり板１２によって、枠部材３０側への雨水の侵入を阻止することができ、一方、下側の外壁パネル２１の上端面２１ａと基板１１の下面１１ｂとの間からの雨水の浸入は、粘着体１３により阻止することができる。
【００３４】
特に粘着体１３は、下側の外壁パネル２１の上端面２１ａから裏面２１ｃにかけて粘着し、上端面２１ａ、縁部２１ｄ、裏面２１ｃの３カ所にわたって連続して粘着することとなるので、上端面２１ａだけ、あるいは、裏面２１ｄだけにブチルゴムを粘着させた場合にくらべて、確実に止水することができる。よって、たとえ使用する外壁パネル２０，２１が、その上端面２１ａや下端面２０ａに細かい凹凸や切断カスなどを有する場合や、裏面２０ｃ，２１ｃにも凹凸があるような場合であっても、このような粘着体１３により十分に止水することができる。また、外壁パネルの上端面に対して、その外壁パネルの裏面にかけて粘着させることで、作業性良く正確に取り付けることが可能となり、止水の確実性を高められる。
さらに、ブチルゴムは、粘着性、耐候性、耐熱性、耐火性、価格の面で優れているうえ、耐アルカリ性にも優れているので、外壁パネル２０，２１が強アルカリ性を呈する材料から形成されている場合でも十分に止水効果を発現することができる。
また、このような外壁パネル用止水部材１０によれば、たとえ短尺の外壁パネル２０，２１が使用され、多くの継ぎ目が生じ、これらをそれぞれ止水する必要がある場合でも、外壁パネル２０，２１の表面には及ばないので、建築物の美観を損なうことがない。
さらに、このような外壁パネル用止水部材１０によれば、安価であり建築コストの面から有利であるとともに、軽量であって施工も簡便、容易で、さらに、立ち上がり板１２に折曲誘導線１８を形成することにより、出隅部や入隅部にも使用することもできるので、建築現場における作業効率の向上の面などからも有用である。
【００３５】
【発明の効果】
以上説明したように本発明によれば、外壁パネルの外観を損ねることなく、端面に細かい凹凸や切断カスなどが存在するような外壁パネルの端面間であっても確実かつ容易に止水可能することができる。また、特に外壁パネルが強アルカリ性を呈するものである場合にも有効である。
【図面の簡単な説明】
【図１】本発明の一実施形態例である外壁パネル用止水部材を外壁パネル間に配した状態を示す縦断面図である。
【図２】図１で使用した外壁パネル用止水部材の斜視図である。
【図３】図１の部分拡大縦断面図である。
【図４】粘着体の他の一形態を示す斜視図である。
【図５】粘着体のさらに他の一形態を示す斜視図である。
【図６】粘着体のさらに他の一形態を示す斜視図である。
【図７】図２の外壁パネル用止水部材を外壁パネル間に施工する方法を示す斜視図である。
【図８】図２の外壁パネル用止水部材を外壁パネル間に施工する方法を示す斜視図である。
【図９】図２の外壁パネル用止水部材を外壁パネル間に施工する方法を示す斜視図である。
【図１０】図２の外壁パネル用止水部材を外壁パネル間に施工する方法を示す斜視図である。
【図１１】本発明の他の実施形態例である外壁パネル用止水部材を示す斜視図である。
【図１２】図１１の外壁パネル用止水部材を出隅部における外壁パネル間に施工する方法を示す斜視図である。
【図１３】図１１の外壁パネル用止水部材を出隅部における外壁パネル間に施工する方法を示す斜視図である。
【図１４】図１１の外壁パネル用止水部材を出隅部における外壁パネル間に施工する方法を示す斜視図である。
【符号の説明】
１０…外壁パネル用止水部材、１１…基板、１２…立ち上がり板、１３…粘着体、１４…ブチルゴム線状体、１６…支持シート、１８…折曲誘導線、２０…上側の外壁パネル、２０ａ…上側の外壁パネルの下端面、２１…下側の外壁パネル、２１ａ…下側の外壁パネルの上端面、２１ｃ…下側の外壁パネルの裏面
【図１】
2004019171.tif 000003
【図２】
2004019171.tif 000004
【図３】
2004019171.tif 000005
【図４】
2004019171.tif 000006
【図５】
2004019171.tif 000007
【図６】
2004019171.tif 000008
【図７】
2004019171.tif 000009
【図８】
2004019171.tif 000010
【図９】
2004019171.tif 000011
【図１０】
2004019171.tif 000012
【図１１】
2004019171.tif 000013
【図１２】
2004019171.tif 000014
【図１３】
2004019171.tif 000015
【図１４】
2004019171.tif 000016